(57)【要約】【課題】ローラチェーンの連結の際に、連結する内リンクがローラチェーン連結治具側に起立しないようにローラを挟持すること。【解決手段】爪部２の挟持方向外側となる背面部８に、この爪部２の先端ほど、対向する爪部２に近付くテーパ９（順テーパ９ａ）と、対向する爪部２から離れるテーパ９（逆テーパ９ｂ）とを順次形成して切り欠き部１０を形成する。この爪部２を内リンクＬ１の二つのローラＲ１、Ｒ２間に挿し込んで、一方のローラＲ１をこの爪部２で挟持した際に、切り欠き部１０と他方のローラＲ２との間に隙間が構成されるため、背面部８と他方のローラＲ２との当接に起因して内リンクＬ１が起立するのを防止することができる。【選択図】図１
2014076475.tif 000002
【特許請求の範囲】
【請求項１】
連結する内リンク（Ｌ１）のローラ（Ｒ）を挟持するように対向して設けた爪部（２、２）と、両爪部（２、２）をローラチェーン（Ｃ）の連結方向に開閉自在に支持するリンク部（３）と、両爪部（２、２）の開閉量を調節する調節部材（４）とを備えたローラチェーン連結治具において、
前記爪部（２）の挟持方向外側となる背面部（８）に切り欠き部（１０）を形成し、前記爪部（２）の挟持方向内側となる挟持部（１１）で、ローラチェーン（Ｃ）を構成する各内リンク（Ｌ１）の二つのローラ（Ｒ、Ｒ）のうち開放端部側にある一方のローラ（Ｒ１）を挟持した際に、前記切り欠き部（１０）と、前記内リンク（Ｌ１）の開放端部と反対側にある他方のローラ（Ｒ２）との間に隙間が構成されるようにして、前記背面部（８）と前記他方のローラ（Ｒ２）との当接を防止したことを特徴とするローラチェーン連結治具。
【請求項２】
前記挟持部（１１）に、前記爪部（２）を開いた状態において、この爪部（２）の先端ほど対向する爪部（２）から離れる傾斜をもつテーパ（９）を形成したことを特徴とする請求項１に記載のローラチェーン連結治具。
【請求項３】
前記挟持部（１１）に、挟持した前記一方のローラ（Ｒ１）を保持する受容部（１７）を形成したことを特徴とする請求項１又は２に記載のローラチェーン連結治具。
【発明の詳細な説明】
【技術分野】
【０００１】
この発明は、開放状態のローラチェーンを環状に連結する際に、このローラチェーンの両端の開放端部を所定間隔に保持するローラチェーン連結治具に関する。
【背景技術】
【０００２】
一般的なローラチェーンＣは、一対のローラＲ１、Ｒ２、ブシュ及び内プレートから構成される内リンクＬ１を、ピン及び外プレートから構成される外リンクＬ２で順次連結して、一本の環状としたものである（図７を参照）。このローラチェーンＣをスプロケットに取り付ける際は、環状とした内外リンクＬ１、Ｌ２の一部を一旦外して開放状態とした上で行うと作業効率が高い。そして、スプロケットの歯にローラＲを噛み合わせた後に、開放状態とした内外リンクＬ１、Ｌ２を環状に戻す連結作業が行われる。この内リンクＬ１は、内プレートに一対のブシュを隣り合うように設け、それぞれのブシュに回転自在にローラＲを設けたものが一般的に用いられる。
【０００３】
この連結作業に際しては、開放したローラチェーンＣの両端が、内外リンクＬ１、Ｌ２を連結するピン周りに自由に回動し得るため、連結しようとする内リンクＬ１同士の位置決めを行いにくく、その連結作業に手間を要することが多い。そこで、ローラチェーン連結治具を用いて、両端の内リンクＬ１を所定間隔に保持した上で作業を行うのが作業効率の観点から好ましい。
【０００４】
このローラチェーン連結治具の一例を図７に示して説明する。このローラチェーン連結治具１は、連結する内リンクＬ１の一方のローラＲ１（開放端部に近い側のローラ）を挟持するように対向して設けた爪部２、２と、両爪部２、２をローラチェーンＣの連結方向に開閉自在に保持するリンク部３と、リンク部３にねじ込まれて両爪部２、２の開閉量を調節する調節ねじ４と、ワッシャ５及び抜け止め部材６によって、調節ねじ４に対し軸方向に相対移動不能に、かつ、その軸周りに回動自在に設けられたベース部７とを備えている。
【０００５】
爪部２の挟持方向外側には、この爪部２の先端ほど対向する爪部２に近付くテーパ９（順テーパ９ａ）を形成した背面部８と、この背面部８よりもリンク部３側に、爪部２の先端ほど対向する爪部２から離れるテーパ（逆テーパ）を形成した当接部１６とが形成されている。また、爪部２の挟持方向内側には、爪部２の先端ほど対向する爪部側に近付くテーパ（順テーパ９ｄ）を形成した挟持部１１が形成されている。この挟持部１１で一方のローラＲ１を挟持するようになっている。このように、背面部８及び挟持部１１の双方にテーパを形成して、爪部２の先端を先細形状とすることによって、この先端を開放端部の内リンクＬ１の一対のローラＲ１、Ｒ２間にスムーズに挿し込んで、ローラチェーンＣの連結作業を容易に行い得るようにしている。
【０００６】
後述する図３に示すように、ベース部７は２枚の板状部材１２、１２の間に、スペーサ１３を挟み込んだ構成となっている。板状部材１２同士及び板状部材１２とスペーサ１３は、リベット１４で固定されている。このスペーサ１３によって、両板状部材１２、１２の間に所定の幅の隙間が形成され、その隙間に両爪部２、２が通されている。前記隙間の大きさは爪部２の肉厚よりもやや広いため、前記隙間内で爪部２を自在に回動することができる。
【０００７】
調節ねじ４の先端にはハンドル１５が設けられている。このハンドル１５をねじ込み方向に回すと、リンク部３に調節ねじ４がねじ込まれ、リンク部３が、ベース部７に対して離間する方向に移動する。このとき、爪部２の当接部１６が、板状部材１２に設けられた４本のリベット１４のうち外側の２本のリベット１４ａ、１４ａに当接しつつ、リンク部３のベース部７から離れる方向への移動とともに、その当接箇所が爪部２の先端側に移動する。すると、この当接箇所の移動に伴って対向する爪部２同士の間隔が狭まって、ローラチェーンＣの両端部の内リンクＬ１が互いに接近する。この内リンクＬ１同士が所定位置まで接近した状態で、内リンクＬ１のブシュにピンを挿し込み、さらに外プレートＰを取り付けると、ローラチェーンＣが一本の環状となる。
【発明の概要】
【発明が解決しようとする課題】
【０００８】
図７に示すローラチェーン連結治具１を用いて内リンクＬ１同士を接近させる際に、図８に示すように、その内リンクＬ１がローラチェーン連結治具１側に起立することが多い。これは、連結する内リンクＬ１の二つのローラのうち、一方のローラＲ１を爪部２で挟持した際に、この爪部２の背面部８が内リンクＬ１の他方のローラＲ２（開放端部から遠い側のローラ）に当接し、この当接によって内リンクＬ１の両ローラＲ１、Ｒ２を結ぶ線が背面部８の順テーパ９ａと垂直な角度をなすように、内リンクＬ１が起立するのが安定的な姿勢だからである。このように内リンクＬ１が起立すると、連結しようとする内リンクＬ１のブシュ間の距離が変化してしまうため、外リンクＬ２を設けるためのピンの挿し込みがスムーズにできない。このため、対向する爪部２の間隔を一旦広げて、この連結作業をやり直さなければならないこともある。
【０００９】
そこで、この発明は、ローラチェーンの連結の際に、連結する内リンクがローラチェーン連結治具側に起立しないようにローラを挟持することを課題とする。
【課題を解決するための手段】
【００１０】
上記の課題を解決するため、この発明は、連結する内リンクのローラを挟持するように対向して設けた爪部と、両爪部をローラチェーンの連結方向に開閉自在に支持するリンク部と、両爪部の開閉量を調節する調節部材とを備えたローラチェーン連結治具において、前記爪部の挟持方向外側となる背面部に切り欠き部を形成し、前記爪部の挟持方向内側となる挟持部で、ローラチェーンを構成する各内リンクの二つのローラのうち開放端部側にある一方のローラを挟持した際に、前記切り欠き部と、前記内リンクの開放端部と反対側にある他方のローラとの間に隙間が構成されるようにして、前記背面部と前記他方のローラとの当接を防止する構成を採用した。
【００１１】
このように背面部に切り欠き部を形成して、前記他方のローラと背面部との当接を防止することにより、この他方のローラとの当接力に起因して内リンクが起立するのを防止することができる。このため、連結する内リンクのブシュ間の距離が所定値に定まって、ローラチェーンの連結作業をスムーズに行うことができる。
【００１２】
前記構成においては、前記挟持部に、前記爪部を開いた状態において、この爪部の先端ほど対向する爪部から離れる傾斜をもつテーパを形成するのが好ましい。
【００１３】
この挟持部にこのような傾斜をもつテーパ（逆テーパ）を形成すると、この挟持部で前記一方のローラを挟持した際に、この一方のローラを爪部の奥側にスライドさせる力は作用しない。しかも、爪部を閉じるにつれて対向する挟持部の逆テーパが平行に近付き、挟持の安定性が次第に高まる。このため、連結する内リンクのブシュ間の距離が所定値に定まって、ローラチェーンの連結作業を一層スムーズに行うことができる。
【００１４】
前記各構成においては、前記挟持部に、挟持した前記一方のローラを保持する受容部を形成するのが好ましい。
【００１５】
このように受容部を形成すると、挟持したローラがこの受容部でしっかりと保持されて、連結作業の途中でこのローラが挟持部内で不用意にスライドしない。このため、連結する内リンクのブシュ間の距離が所定値に定まって、ローラチェーンの連結作業を一層スムーズに行うことができる。
【発明の効果】
【００１６】
この発明は、ローラチェーン連結治具の爪部の背面部に切り欠き部を形成する構成を採用した。このようにすることにより、連結する内リンクの一方のローラ（開放端部に近い側のローラ）を爪部の挟持部で挟持した際に、この爪部の背面部が、内リンクの他方のローラ（開放端部から遠い方のローラ）に当接して、この当接によって、内リンクがローラチェーン連結治具側に起立するのを防止することができる。このため、内リンクの起立に伴って、連結しようとする内リンクのブシュ間の距離が不用意に変化することがなく、ローラチェーンの連結作業をスムーズに行うことができる。
【図面の簡単な説明】
【００１７】
【図１】本願発明に係るローラチェーン連結治具の第一実施形態において、連結する内リンクに爪部の先端を挿し込んだ状態を示す正面図
【図２】図１に示すローラチェーン連結治具を用いて、内リンク同士を接近させた状態を示す要部の正面図
【図３】図１に示すローラチェーン連結治具の斜視図
【図４】図１に示すローラチェーン連結治具の爪部の開閉状態を示す正面図
【図５】本願発明に係るローラチェーン連結治具の第二実施形態において、連結する内リンクに爪部の先端を挿し込んだ状態を示す正面図
【図６】図５に示すローラチェーン連結治具を用いて、内リンク同士を接近させた状態を示す要部の正面図
【図７】従来技術に係るローラチェーン連結治具において、連結する内リンクに爪部の先端を挿し込んだ状態を示す正面図
【図８】図７に示すローラチェーン連結治具を用いて、内リンク同士を接近させた状態を示す要部の正面図
【発明を実施するための形態】
【００１８】
本願発明に係るローラチェーン連結治具１の第一実施形態を図１から図４に示す。このローラチェーン連結治具１は、連結する内リンクＬ１の一方のローラＲ１を挟持するように対向して設けた爪部２、２と、両爪部２、２をローラチェーンＣの連結方向に開閉自在に保持するリンク部３と、リンク部３にねじ込まれて両爪部２、２の開閉量を調節する調節ねじ４と、ワッシャ５及び抜け止め部材６によって、調節ねじ４に対し軸方向に相対移動不能に、かつ、その軸周りに回動自在に設けられたベース部７とを備えている。
【００１９】
爪部２の挟持方向外側となる背面部８には、この爪部２の先端ほど対向する爪部２に近付くテーパ９（順テーパ９ａ）と、対向する爪部２から離れるテーパ９（逆テーパ９ｂ）が順次形成されることによって切り欠き部１０が形成されている。このように切り欠き部１０を形成することによって、この爪部２を内リンクＬ１の一対のローラＲ１、Ｒ２間に挿し込んで、一方のローラＲ１（開放端部側にあるローラ）をこの爪部２で挟持した際に、切り欠き部１０と他方のローラＲ２（開放端部と反対側にあるローラ）との間に隙間が構成されるようにして、背面部８と他方のローラＲ２とが当接するのを防止している。
【００２０】
図４に示すように、爪部２の挟持方向内側となる挟持部１１には、爪部２を開いた状態において、この爪部２の先端ほど対向する爪部２から離れる傾斜をもつテーパ９（逆テーパ９ｃ）が形成されている。両逆テーパ９ｃ、９ｃは、爪部２を閉じるにつれて平行になるように近付き（同図中の想像線を参照）、挟持の安定性が次第に高まる。
【００２１】
このように、背面部８と他方のローラＲ２とが当接するのを防止するとともに、逆テーパ９ｃが形成された挟持部１１でローラＲ１を安定的に挟持することによって、この挟持の際に内リンクＬ１が不用意に起立するのを防止することができ、スムーズに外リンクＬ２の取り付け等の連結作業を行うことができる。
【００２２】
ベース部７は２枚の板状部材１２、１２の間に、スペーサ１３を挟み込んだ構成となっている。板状部材１２同士及び板状部材１２とスペーサ１３は、リベット１４で固定されている。このスペーサ１３によって、両板状部材１２、１２の間に所定の幅の隙間が形成され、その隙間に両爪部２、２が通されている。前記隙間の大きさは爪部２の肉厚よりもやや広いため、前記隙間内で爪部２を自在に回動することができる。
【００２３】
調節ねじ４の先端にはハンドル１５が設けられている。このハンドル１５をねじ込み方向に回すと、リンク部３に調節ねじ４がねじ込まれ、リンク部３が、ベース部７に対して離間する方向に移動する。このとき、爪部２の背面部８よりもリンク部３側に形成され、爪部２の先端ほど対向する爪部２から離れる傾斜をもつテーパを形成した当接部１６が、板状部材１２（ベース部７）に設けられた４本のリベット１４のうち外側の２本のリベット１４ａ、１４ａに当接しつつ、リンク部３の移動とともにその当接箇所が爪部２の先端側に移動する。すると、この当接箇所の移動に伴って対向する爪部２同士の間隔が狭まって、ローラチェーンＣの両端部の内リンクＬ１が互いに接近する。この内リンクＬ１同士が所定位置まで接近した状態で、内リンクＬ１のブシュにピンを挿し込み、さらに外プレートＰ（外リンクＬ２）を取り付けると、ローラチェーンＣが一本の環状となる。
【００２４】
この実施形態では、背面部８に形成した二つの連続する順テーパ９ａと逆テーパ９ｂによって切り欠き部１０を構成したが、切り欠き部１０の形状はこれに限定されず、背面部８と他方のローラＲ２との間の当接を回避できる限りにおいて、適宜変更することができる。また、ハンドル１５を回して調節ねじ４を回すようにする代わりに、調節ねじ４に摘みを設けて、この摘みを回してねじ込み量を調節するようにしてもよい。両爪部２、２の開閉量を調節し得るのであれば、調節ねじ４以外の調節部材を採用することもできる。
【００２５】
また、この実施形態においては、ベース部７を２枚の板状部材１２、１２にスペーサ１３を挟み込んだ態様としたが、このベース部７を、板状部材１２とスペーサ１３を一体にした構成とすることもできる。
【００２６】
本願発明に係るローラチェーン連結治具の第二実施形態を図５及び図６に示す。このローラチェーン連結治具１は、その基本構成は第一実施形態に係るものと同じであるが、爪部２の挟持部１１に、挟持した一方のローラＲ１が挟持部１１内でスライドするのを防ぐ受容部１７を形成した点で異なっている。例えば、図１に示す構成のように、ローラチェーンＣの上側からローラチェーン連結治具１を使用する場合、その爪部２で挟持した一方のローラＲ１が下方にスライドする可能性がある。そこで、受容部１７を形成することによって、爪部２で一方のローラＲ１を挟持した際にそのようなスライドを防止することができ、連結する内リンクＬ１のブシュ間の距離が所定値に定まって、ローラチェーンＣの連結作業を一層スムーズに行うことができる。
【符号の説明】
【００２７】
１  ローラチェーン連結治具
２  爪部
３  リンク部
４  調節ねじ（調節部材）
５  ワッシャ
６  抜け止め部材
７  ベース部
８  背面部
９  テーパ
９ａ  （背面部の）順テーパ
９ｂ  （背面部の）逆テーパ
９ｃ  （挟持部の）逆テーパ
９ｄ  （挟持部の）順テーパ
１０  切り欠き部
１１  挟持部
１２  板状部材
１３  スペーサ
１４  リベット
１５  ハンドル
１６  当接部
１７  受容部
Ｌ１  内リンク
Ｌ２  外リンク
Ｒ  ローラ
Ｒ１  一方のローラ
Ｒ２  他方のローラ
Ｐ  プレート
Ｃ  ローラチェーン
【図１】
2014076475.tif 000003
【図２】
2014076475.tif 000004
【図３】
2014076475.tif 000005
【図４】
2014076475.tif 000006
【図５】
2014076475.tif 000007
【図６】
2014076475.tif 000008
【図７】
2014076475.tif 000009
【図８】
2014076475.tif 000010
【手続補正書】
【提出日】平成25年1月9日(2013.1.9)
【手続補正１】
【補正対象書類名】特許請求の範囲
【補正対象項目名】全文
【補正方法】変更
【補正の内容】
【特許請求の範囲】
【請求項１】
連結する内リンク（Ｌ１）のローラ（Ｒ）を挟持するように対向して設けた爪部（２、２）と、両爪部（２、２）をローラチェーン（Ｃ）の連結方向に開閉自在に支持するリンク部（３）と、両爪部（２、２）の開閉量を調節する調節部材（４）とを備えたローラチェーン連結治具において、
前記爪部（２）の挟持方向外側となる背面部（８）に切り欠き部（１０）を形成し、この切り欠き部（１０）は、前記爪部（２）の先端ほど対向する爪部（２）に近付く順テーパ（９ａ）と、対向する爪部（２）から離れる逆テーパ（９ｂ）とを順次形成したものであって、
前記爪部（２）の挟持方向内側となる挟持部（１１）に、前記爪部（２）を開いた状態において、この爪部（２）の先端ほど対向する爪部（２）から離れる傾斜をもつ逆テーパ（９ｃ）を形成し、
前記挟持部（１１）で、ローラチェーン（Ｃ）を構成する各内リンク（Ｌ１）の二つのローラ（Ｒ、Ｒ）のうち開放端部側にある一方のローラ（Ｒ１）を挟持した際に、前記切り欠き部（１０）と、前記内リンク（Ｌ１）の開放端部と反対側にある他方のローラ（Ｒ２）との間に隙間が構成されるようにして、前記背面部（８）と前記他方のローラ（Ｒ２）との当接を防止したことを特徴とするローラチェーン連結治具。
【請求項２】
前記挟持部（１１）に、挟持した前記一方のローラ（Ｒ１）を保持する受容部（１７）を形成したことを特徴とする請求項１に記載のローラチェーン連結治具。
【手続補正２】
【補正対象書類名】明細書
【補正対象項目名】００１０
【補正方法】変更
【補正の内容】
【００１０】
上記の課題を解決するため、この発明は、連結する内リンクのローラを挟持するように対向して設けた爪部と、両爪部をローラチェーンの連結方向に開閉自在に支持するリンク部と、両爪部の開閉量を調節する調節部材とを備えたローラチェーン連結治具において、前記爪部の挟持方向外側となる背面部に切り欠き部を形成し、この切り欠き部は、前記爪部の先端ほど対向する爪部に近付く順テーパと、対向する爪部から離れる逆テーパとを順次形成したものであって、前記爪部の挟持方向内側となる挟持部で、ローラチェーンを構成する各内リンクの二つのローラのうち開放端部側にある一方のローラを挟持した際に、前記切り欠き部と、前記内リンクの開放端部と反対側にある他方のローラとの間に隙間が構成されるようにして、前記背面部と前記他方のローラとの当接を防止する構成を採用した。
【手続補正３】
【補正対象書類名】明細書
【補正対象項目名】００１２
【補正方法】変更
【補正の内容】
【００１２】
前記構成においては、前記挟持部に、前記爪部を開いた状態において、この爪部の先端ほど対向する爪部から離れる傾斜をもつ逆テーパを形成するのが好ましい。